(57)【要約】【課題】本発明は、原糸を接着させる端部を含む直線区間を形成し、直線区間の末端から上方へラウンドにカールさせることにより、前記直線区間により、人のまつ毛とつけまつ毛との接着力を高めるだけでなく、根元からまつ毛を持ち上げることにより、着用者の理想と要望を極限まで近づけられ、並びに着用者の満足感を極大化させることを特徴とするつけまつ毛とこれを製造するための製造装置およびその製造方法に関する。【解決手段】巻取られた複数の原糸が一定の張力を有するように解く案内ローラと、複数の原糸間を一定の間隔で束ねるためのガイドと、複数の原糸を一定の速度で引きながら、一定の長さ間隔で接着剤を塗布して接着区間を形成させる接着ローラと、接着ローラから引出された原糸を接着区間の真後ろで切断してまつ毛本体を形成する切断機と、接着区間を含む直線区間を除く残りの長さに対してまつ毛本体をカールするカール機とを備えてなることを特徴とする。【選択図】図３
2012092471.tif 000002
【特許請求の範囲】
【請求項１】
巻取られた複数の原糸（Ｔ）が一定の張力を有するように解く案内ローラ（１００）と、
前記複数の原糸（Ｔ）間を一定の間隔で束ねるためのガイド（２００）と、
前記複数の原糸（Ｔ）を一定の速度で引きながら、一定の長さ間隔で接着剤を塗布して接着区間（Ａ）を形成させる接着ローラ（３００）と、
前記接着ローラ（３００）から引出された原糸（Ｔ）を前記接着区間（Ａ）の真後ろで切断してまつ毛本体（１０００）を形成する切断機（４００）と、
前記接着区間（Ａ）を含む直線区間（Ｌ）を除く残りの長さに対して前記まつ毛本体（１０００）をカールするカール機（５００）とを備えてなることを特徴とする視界と美感が向上したつけまつ毛の製造装置。
【請求項２】
前記接着ローラ（３００）は、円周が前記まつ毛本体（１０００）の長さに等しいことを特徴とする請求項１に記載の視界と美感が向上したつけまつ毛の製造装置。
【請求項３】
前記カール機（５００）は、その円周上に前記直線区間（Ｌ）と同じ幅で全長にわたって直線溝（５１０）が形成されたローラであることを特徴とする請求項１に記載の視界と美感が向上したつけまつ毛の製造装置。
【請求項４】
前記カール機（５００）は、ピンセットであることを特徴とする請求項１に記載の視界と美感が向上したつけまつ毛の製造装置。
【請求項５】
前記直線区間（Ｌ）は、１．５〜３．０ｍｍであることを特徴とする請求項１に記載の視界と美感が向上したつけまつ毛の製造装置。
【請求項６】
前記カール角度は、３５〜４５度であることを特徴とする請求項１に記載の視界と美感が向上したつけまつ毛の製造装置。
【請求項７】
前記原糸（Ｔ）は、１０〜１４本であることを特徴とする請求項１に記載の視界と美感が向上したつけまつ毛の製造装置。
【請求項８】
案内ローラ（１００）を用いて複数の原糸（Ｔ）を供給する第１ステップ（Ｓ１００）と、
ガイド（２００）を用いて供給された前記原糸（Ｔ）を一定の間隔で束ねるように案内する第２ステップ（Ｓ２００）と、
前記原糸（Ｔ）に一定の間隔で接着区間（Ａ）が形成されるように接着ローラ（３００）で接着剤を塗布する第３ステップ（Ｓ３００）と、
切断機（４００）を用いて前記接着区間（Ａ）の真後ろで原糸（Ｔ）を切断してまつ毛本体（１０００）を整形する第４ステップ（Ｓ４００）と、
前記接着区間（Ａ）を含む直線区間（Ｌ）を除く残りの部分に対してカール機（５００）でまつ毛本体（１０００）をカール整形する第５ステップ（Ｓ５００）とを含むことを特徴とする視界と美感が向上したつけまつ毛の製造方法。
【請求項９】
前記カール機（５００）は、ピンセットであることを特徴とする請求項８に記載の視界と美感が向上したつけまつ毛の製造方法。
【請求項１０】
複数の原糸（Ｔ）を一つで接着するための接着区間（Ａ）を含む直線区間（Ｌ）を有し、直線区間（Ｌ）を除く残りの区間を曲線状に巻き上げることを特徴とする視界と美感が向上したつけまつ毛。
【発明の詳細な説明】
【技術分野】
【０００１】  本発明は、つけまつ毛（接着剤を用いてまつ毛を延長する仮毛）とこれを製造するための製造装置およびその製造方法に関し、より詳細には、１．５〜３ｍｍの直線区間を形成し、直線区間の末端から残りの端部分までを上方３５〜４５度の角度でラウンドにカールさせることにより、前記直線区間により、人のまつ毛とつけまつ毛との接着および保持力を高めるだけでなく、根元からまつ毛を持ち上げることにより、着用者の理想と要望を極限まで近づけられ、並びに着用者の満足感を極大化させることを特徴とするつけまつ毛とこれを製造するための製造装置およびその製造方法に関する。
【背景技術】
【０００２】  近年、女性の化粧術の一つとして、目を大きくキレイに見せるためにつけまつ毛が愛用されている。つけまつ毛は、１本のまつ毛に１本ずつ付けたり、複数本を一度に付けたりすることで、実際のまつ毛よりも長く太く見せるようにする。このつけまつ毛は多様な形態で製作および使用されている。【０００３】  一方、人間のまつ毛の生え方は、下向きだが毛の癖によりカールが、かかって上向き、ストレートで下向きがあり、従来のつけまつ毛のカール形態であるＪ・Ｃ・ＣＣカールは、下向きストレートのまつ毛の場合、根元の部分から持ち上げられずにまつ毛の先端部分のみが上がる問題があった。【０００４】  つまり、従来のつけまつ毛を適用する場合、根元から中間までが下がった状態になるため、まつ毛で視界が塞がれてしまい、すっきりせず現在のカール形態では仕上がりに確実な満足感が得られなかった。【０００５】  図１は、従来のつけまつ毛のうち、Ｊカールの一例を示すための側面図である。従来のつけまつ毛１０ａは、一本または複数の糸（原糸）を一定の長さに切って一端を接着して製作する。特に、つけまつ毛１０ａは、一端が接着された平らな直線区間Ｐと、この直線区間Ｐの端部からラウンドに形成されるカール区間Ｒとを有するように製作される。このとき、前記カール区間Ｒは、カール整形装置によって整形されるが、直線区間Ｐに比べて相対的に短く形成されることになる。【０００６】  しかしながら、このＪカール形態のつけまつ毛１０ａは、その末端部分のみをカール区間Ｒとしてカールするため、直線区間Ｐがカール区間Ｒに比べて相対的に長く形成される。この構造のつけまつ毛１０ａを毛幹に付着すると直線区間Ｐが長くなるため、視界を塞ぐ問題があった。【０００７】  図２は、従来のつけまつ毛のうち、Ｃカールの形態を示すための側面図である。図２のつけまつ毛１０ｂは、視界をより広く形成するために、従来の直線区間をなくし、曲率半径ｒを有するように、その全長にわたってカールを整形して製造する。【０００８】  しかしながら、このつけまつ毛１０ｂは、上述のつけまつ毛１０ａに比べると、直線区間Ｐがないので視界の確保に有利ではあるが、曲がりすぎのカール区間のために、目を開いたとき、肌に触る問題が発生していた。
【発明の概要】
【発明が解決しようとする課題】
【０００９】  本発明は、このような点に鑑みてなされたものであって、その目的は、１０〜１４本の糸で束をなし、最初の始点から１．５〜３ｍｍまでを直線区間として形成し、残りの区間を３５〜４５度の角度で上方に曲げてカールを形成して製作することにより、人のまつ毛とつけまつ毛との接着力および保持力を高めるだけでなく、まつ毛を根元から持ち上げることにより、美感を高めたつけまつ毛とこれを製造するための製造装置およびその製造方法を提供することにある。【００１０】  また、本発明の他の目的は、接着ローラを用いて複数の原糸を一度に接着して切断し、カール工程が行われるようにすることにより、割安な費用で大量生産できるように、視界と美感が向上したつけまつ毛とこれを製造するための製造装置およびその製造方法を提供することにある。
【課題を解決するための手段】
【００１１】  このような目的を達成するために、本発明に係る視界と美感が向上したつけまつ毛の製造装置は、巻取られた複数の原糸が一定の張力を有するように解く案内ローラと、複数の原糸間を一定の間隔で束ねるためのガイドと、複数の原糸を一定の速度で引きながら、一定の長さ間隔で接着剤を塗布して接着区間を形成させる接着ローラと、接着ローラから引出された原糸を接着区間の真後ろで切断してまつ毛本体を形成する切断機と、接着区間を含む直線区間を除く残りの長さに対してまつ毛本体をカールするカール機とを備えてなることを特徴とする。【００１２】  特に、接着ローラは、円周がまつ毛本体の長さに等しいことを特徴とする。【００１３】  また、カール機は、その円周上に接着区間と同じ幅で全長にわたって直線溝が形成されたローラであることを特徴とする。また、カール機は、ピンセットを用いてもよい。【００１４】  また、直線区間は、１、５〜３．０ｍｍであることを特徴とする。【００１５】  また、原糸は、１０〜１４本であることを特徴とする。【００１６】  一方、本発明に係る視界と美感が向上したつけまつ毛の製造方法は、案内ローラを用いて複数の原糸を供給する第１ステップと、ガイドを用いて供給された原糸を一定の間隔で束ねるように案内する第２ステップと、原糸に一定の間隔で接着区間が形成されるように接着ローラで接着剤を塗布する第３ステップと、切断機を用いて接着区間の真後ろで原糸を切断してまつ毛本体を整形する第４ステップと、接着区間を含む直線区間を除く残りの部分に対してカール機でまつ毛本体をカール整形する第５ステップとを含むことを特徴とする。【００１７】  さらに、本発明は、このような視界と美感が向上したつけまつ毛の製造方法により製造されるつけまつ毛を備える。
【発明の効果】
【００１８】  本発明の視界と美感が向上したつけまつ毛とこれを製造するための製造装置およびその製造方法によれば、次の効果がある。
第一に、毛幹に付着される部分が直線区間となっているため、カール区間が下へ垂れず、着用者の視界の確保が可能となる。
第二に、つけまつ毛を付着しても、カール区間が上方へ巻きすぎることを防ぐことにより、まつ毛の上の肌に触るのを防止するだけでなく、目が大きくキレイに見える効果がある。
第三に、ピンセットによってもカール区間のカールを簡単に整形できるため、着用者が本人の顔型に合わせてカールの程度を簡単に調節して使用することができる。
第四に、接着ローラで複数の原糸を接着させた後、切断して、カール整形が行われるようにすることにより、大量生産が可能なだけでなく、費用節減効果を得ることができる。
【図面の簡単な説明】
【００１９】
【図１】従来のつけまつ毛の一例を示すための側面図である。
【図２】従来のつけまつ毛の他の例を示すための側面図である。
【図３】本発明に係るつけまつ毛の製造装置を説明するための概略図である。
【図４】本発明に係る、ピンセットを用いたカール整形を説明するための斜視図である。
【図５】本発明に係るつけまつ毛の製造装置を用いた製造方法を説明するためのフローチャートである。
【図６】Ａは本発明に係るつけまつ毛を示すための斜視図である。Ｂは本発明に係るつけまつ毛を示す側面図である。
【発明を実施するための形態】
【００２０】  以下、添付した図面と説明を参照して本発明の好ましい実施形態に関する動作原理を詳細に説明する。ただし、下記に示されている図面と後述する説明は、本発明の特徴を効果的に説明するための様々な方法のうち好ましい実施方法に関するものであり、本発明は下記の図面と説明に限定されるものではない。
【００２１】  また、下記において、本発明を説明するにあたり、かかる公知の機能または構成に関する具体的な説明が本発明の要旨を不明にする可能性があると判断された場合は、その詳細な説明を省略する。また、後述する用語は、本発明における機能を考慮して定義された用語であって、これは、使用者、運用者の意図または慣例などにより異なり得る。したがって、その定義は、本明細書の全般にわたった内容に基づいて行われるべきである。
【００２２】  さらに、以下に実施される本発明の好ましい実施形態は、本発明をなす技術的構成要素を効率的に説明するために、各々のシステムの機能構成にすでに備えられているか、または本発明の属する技術分野において通常備えられるシステムの機能構成はできるだけ省略し、本発明のために追加で備えられるべき機能構成を中心に説明する。
【００２３】  本発明の属する技術分野における通常の知識を有する者であれば、下記に示さずに省略された機能構成のうち、従来からすでに使われている構成要素の機能を容易に理解することができ、また、前記のように省略された構成要素と本発明のために追加された構成要素との関係も明確に理解することができるはずであろう。
【００２４】  また、以下の実施形態では、本発明の中核的な技術的特徴を効率的に説明するために、本発明の属する技術分野における通常の知識を有する者が明確に理解できるように用語を適切に変形して使うが、本発明は決してこれに限定されるものではない。
【００２５】  結果的に、本発明の技術的思想は、請求の範囲によって決定され、以下の実施形態は、進歩的な本発明の技術的思想を本発明の属する技術分野における通常の知識を有する者に効率的に説明するための一つの手段であるにすぎない。
【００２６】製造装置
図３は、本発明に係るつけまつ毛の製造装置を説明するための概略図であり、図４は、本発明に係る、ピンセットを用いたカール整形を説明するための斜視図である。
【００２７】  本発明に係るつけまつ毛の製造装置は、大別して、巻取ドラムＷに巻取られた各原糸Ｔを解くための案内ローラ１００と、解かれた複数の原糸Ｔが一定の間隔で束ねられるように誘導するガイド２００と、ガイド２００を通過した原糸Ｔに一定の長さ間隔で接着剤を塗布して接着区間Ａを形成させる接着ローラ３００と、この接着区間Ａの真後ろで原糸Ｔを切断させる切断機４００と、切断されたまつ毛本体１０００に接着区間Ａを含む直線区間Ｌを有するようにカール整形させるカール機５００とを備える。ここで、図面符号「Ｗ」は、まつ毛本体１０００の製造に用いられる原糸Ｔが巻取られた巻取ドラムを表す。
【００２８】  以下、これらの各構成要素についてより具体的に説明する。
【００２９】  案内ローラ１００は、巻取ドラムＷから原糸Ｔを解いて一定の方向に供給させるためのローラである。この案内ローラ１００は、一対のローラが１組をなすが、複数組のローラが１つの案内ローラ１００として構成されてもよい。図においては、２組のローラが構成された例を示している。
【００３０】  特に、案内ローラ１００は、原糸１０〜１４本を同時に巻取ドラムＷから解除可能な長さに製作する。これは、通常つけまつ毛になるまつ毛本体１０００をつけたとき、まつ毛が薄いか濃い感じを与えることができる糸数が１０〜１４本であるため、この本数を一度に解けるようにするためである。本発明の好ましい実施形態において、前記案内ローラ１００は、１０本の原糸Ｔを同時に解けるようにすることにより、つけまつ毛が過度に濃いか薄くないようにすることが最も好ましい。
【００３１】  ガイド２００は、巻取ドラムＷの幅のために原糸Ｔ間の間隔が広くなるが、実際のまつ毛同士の間隔だけ原糸Ｔを一つに束ねるための構成要素である。
【００３２】  このガイド２００は、上面に「Ｙ」字状に上方が広く凹んだガイド溝２１０が形成される。このガイド溝２１０には各原糸Ｔが置かれるが、このとき、ガイド２００は、原糸Ｔがガイド溝２１０の広く凹んだ上部から狭く形成された下部へ進むように設置される。
【００３３】  接着ローラ３００は、ガイド２００の案内を受けて一定の間隔で束ねられた複数の原糸Ｔを一定の速度で引きながら、一定の長さ間隔で接着剤を塗布する。
【００３４】  この接着ローラ３００は、原糸Ｔの上下部においてそれぞれ向かい合うように設置される一対のローラ３００ａ、３００ｂで構成される。特に、いずれか１つのローラ３００ａには、外周面に長さ方向に全長にわたって接着剤付着区間３１０が形成される。このとき、この接着剤付着区間３１０の幅は最大３．０ｍｍを超えないように形成することが好ましい。これは、接着剤付着区間３１０に塗布された接着剤が原糸Ｔに塗布されて形成された接着区間Ａが、後述する直線区間Ｌの長さを超えないようにするためである。
【００３５】  また、前記ローラ３００ａは、製造時、その円周が製作しようとするつけまつ毛の全長に等しく形成されることが好ましい。これは、このローラ３００ａが１回回転することにより、つけまつ毛の全長において、末端部に接着剤付着区間３１０を用いて接着固定できるからである。ここで、つけまつ毛の長さは、通常流通している最も長い長さに製作することにより、使用者の好みによってつけまつ毛を切って使えるようにすることが好ましい。
【００３６】  このように、ローラ３００ａの長さ方向に形成された接着剤付着区間３１０に接着剤を付着する技術は、通常の技術によって行われるので、ここではその詳細な説明を省略する。
【００３７】  一方、前記ローラ３００ａは、１回転時に１回接着されるように構成したが、半径を大きく形成し、一定の間隔で複数の接着剤付着区間を形成することにより、ローラ３００ａ１回転あたり複数回の接着機能をもつように製作することも可能である。
【００３８】  切断機４００は、接着区間Ａが形成された原糸Ｔを切断してまつ毛本体１０００を形成する。このとき、切断機４００は、接着区間Ａの直後ろで原糸Ｔが切断されるように装着される。
【００３９】  このため、接着区間Ａが一定の間隔（つけまつ毛の長さ）で付着された原糸Ｔは、一端は接着区間Ａが形成され、他端は自由端状態のまつ毛本体１０００で切断されることになる。
【００４０】  一方、図において、未説明符号「４１０」は、切断時、原糸Ｔが伸びることなく、切断時、切断機４００を支持して切断が容易に行われるように原糸Ｔの下面を支持する支持台を表す。
【００４１】  カール機５００は、前記まつ毛本体１０００の自由端部分に３５〜４５度の角度でカールを整形するための構成である。このカール機５００は、通常カール整形に多く利用されているカールローラを用いる。前記において、カール角度が３５度未満であれば、垂れたまつ毛の形態となり、４５度を超えると、目を開いたとき、まつ毛が肌に接触する問題を発生させる。したがって、本発明においては、カール角度を３５〜４５度に限定した。
【００４２】  特に、本発明に係るカール機５００は、このカールローラを使用するにあたり、前記接着区間Ａが形成された部分にはカールが形成されないようにするために、その外周面に全長にわたって直線溝５１０が形成される。
【００４３】  直線溝５１０は、接着区間Ａを含む固定端部を加圧しないようにすることにより、直線区間Ｌを形成する。このとき、直線区間Ｌは、この接着区間Ａの長さによって異なるが、好ましくは、この接着区間Ａを含めて１．５〜３．０ｍｍの長さに形成することが好ましい。もちろん、このときの直線区間Ｌは、接着区間Ａに等しいかそれより大きく形成される。これは、直線区間Ｌが３．０ｍｍを超えると、視界を塞ぐようになり、逆に、１．５ｍｍ未満であれば、カールの部分が過度に上がってしまうからである。
【００４４】  一方、本発明では、まつ毛本体１０００の自由端部分にカールを整形するために、図４のように、ピンセット２０００を用いてもよい。この場合、ピンセット２０００は、直線区間Ｌが終わる地点から自由端部に向かって所望の曲率半径を有するように屈曲に動かすことにより、人のまつげの形態と模様によって自由にカールを整形することができる。図４において、矢印は、カール整形のためのピンセット２０００の動きを例示するものである。
【００４５】  最後に、図３において、未説明符号「６００」は、カールが整形されたまつ毛本体１０００を移送させるためのコンベヤ手段を、「７００」は、移送されたまつ毛本体１０００を積載するための積載箱をそれぞれ表す。
【００４６】  また、図３において、接着区間Ａは、直線区間Ｌに等しいものとして示されているが、上述のように、接着区間Ａよりも直線区間Ｌをさらに長く形成する構成も可能である。
【００４７】製造方法
図５は、本発明に係るつけまつ毛の製造装置を用いた製造方法を説明するためのフローチャートである。また、図６Ａは、本発明に係るつけまつ毛を示すための斜視図であり、図６Ｂは、本発明に係るつけまつ毛を示す側面図である。ここで、つけまつ毛の製造装置に関する構成は、上述の図面符号をそのまま用い、その詳細な説明を省略する。
【００４８】  本発明に係るつけまつ毛の製造装置を用いた製造方法は、上述の製造装置の各構成要素を用いて各ステップで行われる。そこで、本発明の製造方法は、次の５つのステップにわたって行われる。
【００４９】  第１ステップ（Ｓ１００）は、原糸Ｔを供給するステップである。このときの原糸供給は、案内ローラ１００により行われる。また、案内ローラ１００には、製造しようとするつけまつ毛の本数に合わせて複数の原糸Ｔを供給する。
【００５０】  第２ステップ（Ｓ２００）は、供給された複数の原糸Ｔが一定の間隔で束ねられるように案内するステップである。原糸Ｔの案内は、ガイドにより行われる。すなわち、原糸Ｔは、入口側が出口側より広く形成されたガイド溝２１０に沿って動かすことにより、複数の原糸Ｔが最初より狭くなりつつ、所望の幅間隔を有するように案内されるのである。
【００５１】  第３ステップ（Ｓ３００）は、原糸Ｔに一定の間隔をおいて接着剤を塗布するステップである。接着剤の塗布は、接着ローラ３００が回転することによって行われ、このとき、接着剤は、接着ローラ３００が１回転するに伴い、つけまつ毛の長さだけ回転してその後端部に塗布される。このとき、接着剤が塗布されて形成された接着区間Ａは、後述する直線区間Ｌの長さより短く形成される。
【００５２】  第４ステップ（Ｓ４００）は、原糸を切断するステップである。原糸の切断には切断機４００を用いる。このとき、切断機４００は、前記接着区間Ａの真後ろで原糸Ｔを切断する。これにより、この接着区間Ａを固定端とし、その前方が自由端からなるまつ毛本体１０００を得ることになる。
【００５３】  第５ステップ（Ｓ５００）は、直線区間Ｌが設けられるように前記自由端側をカール整形するステップである。このときのカール整形は、ローラタイプの整形器やピンセット２０００を用いて整形する。また、カール整形は、直線区間Ｌの端部から始まる。ここで、直線区間Ｌは、前記接着区間Ａの全長を含めてカール整形をしない区間であって、１．５〜３．０ｍｍの長さだけ形成される。
【００５４】  一方、本発明は、上述の製造方法により製造されたまつ毛本体１０００からなるつけまつ毛を含む。
【００５５】  以上のように、本発明は、接着剤で複数の原糸を固定させるための接着区間を含めて所定の長さの直線区間を形成し、この直線区間を通して毛根に付着してつけまつ毛を使用させることにより、つけまつ毛のラウンド部分が下へ垂れて視界を塞ぐ現象を防止するだけでなく、ラウンド部分が上向きになって瞳が大きく見える効果により、着用者をキレイに見せる効果がある。
【００５６】  以上の説明は、本発明の技術思想を例示的に説明したにすぎず、本発明の属する技術分野における通常の知識を有する者であれば、本発明の本質的な特性から逸脱しない範囲内で多様な修正および変形が可能である。
【００５７】  つまり、本発明に開示された実施形態は、本発明の技術思想を限定するものではなく、説明するためのものであるため、このような実施形態により本発明の技術思想の範囲が限定されるものではない。
【００５８】  したがって、本発明の保護範囲は、下記の請求の範囲により解釈されるべきであり、それと同等の範囲内のすべての技術思想は、本発明の権利範囲に含まれるものと解釈されるべきである。
【符号の説明】
【００５９】１００：案内ローラ
２００：ガイド
２１０：ガイド溝
３００：接着ローラ
３００ａ、３００ｂ：ローラ
３１０：接着剤付着区間
４００：切断機
５００：カール機
５１０：直線溝
Ａ：接着区間
Ｌ：直線区間
【図１】
2012092471.tif 000003
【図２】
2012092471.tif 000004
【図３】
2012092471.tif 000005
【図４】
2012092471.tif 000006
【図５】
2012092471.tif 000007
【図６】
2012092471.tif 000008